(57)【要約】【課題】  生体への負担が少なく、かつ効率良く、血圧を低下させる生体圧迫装置を提供する。【解決手段】  圧力センサー２０は生体に接触して生体の圧力を検出し、検出した生体の圧力の昇降を示す信号をポンプ４０へ送信する。ポンプ４０は圧力センサー２０から送信されて来た、検出された圧力の昇降を示す信号を受信し、受信した信号に従って、圧力センサー２０が検出する圧力の昇降に合わせて増減する圧迫力を圧迫器３０へ供給する。圧迫器３０はポンプ４０から供給された圧迫力に従って、圧力センサー２０が検出した圧力の昇降に合わせて増減する圧迫力で生体の一部を圧迫する。【選択図】  図１
2006025910.tif 000002
【特許請求の範囲】
【請求項１】
接触する生体の圧力を検出する圧力センサーと、前記圧力センサーの検出する圧力の上昇／下降に合わせて生体の一部を圧迫する圧迫力を増減する圧迫手段と、を有する生体圧迫装置。
【請求項２】
前記圧力の上昇時に前記圧迫手段の圧迫力が増加し、前記圧力の下降時に前記圧迫手段の圧迫力が減少するように前記圧迫手段の圧迫力を制御する圧迫力制御回路をさらに有する、請求項１に記載の生体圧迫装置。
【請求項３】
接触する生体の圧力を検出する複数の圧力センサーと、前記圧力センサーの検出する圧力の上昇／下降に合わせて生体の一部を圧迫する圧迫力を増減する複数の圧迫手段とを有し、前記各圧迫手段は対応する前記圧力センサーの近傍に配置されている生体圧迫装置。
【請求項４】
前記複数の圧力センサーは列状に配置され、かつ前記各圧迫手段は対応する前記圧力センサーに対して前記圧力センサーの列方向に直交する位置に配置されている、請求項３に記載の生体圧迫装置。
【請求項５】
対応する圧力センサーの検出する圧力の上昇時に前記圧迫手段の圧迫力が増加し、前記対応する圧力センサーの検出する圧力の下降時に前記圧迫手段の圧迫力が減少するように前記圧迫手段の圧迫力を制御する圧迫力制御回路をさらに有する、請求項３または４に記載の生体圧迫装置。
【請求項６】
前記複数の圧力センサーからの信号により検出する生体の圧力の最大値と最小値の差が他の圧力センサーよりも大きい圧力センサーを選択し、該選択された圧力センサーからの信号により生体の圧力の上昇／下降を検知し、前記選択された圧力センサーの検出する圧力の上昇時に前記選択された圧力センサーに対応する圧迫手段の圧迫力が増加し、前記選択された圧力センサーの検出する圧力の下降時に前記選択された圧力センサーに対応する圧迫手段の圧迫力が減少するように前記圧迫手段の圧迫力を制御する圧迫力制御回路をさらに有する、請求項３または請求項４に記載の生体圧迫装置。
【請求項７】
前記圧迫力制御回路は前記圧迫力に１／ｆ雑音の振幅分布の圧迫力がさらに加わるように前記圧迫手段の圧迫力を制御する、請求項５または請求項６に記載の生体圧迫装置。
【請求項８】
前記圧迫力制御回路は前記圧迫力に白色雑音の振幅分布の圧迫力がさらに加わるように前記圧迫手段の圧迫力を制御する、請求項５または６に記載の生体圧迫装置。
【請求項９】
帯状で、Ｃ字型に曲げられた保持体をさらに有し、少なくとも前記圧力センサーと前記圧迫手段が前記保持体の内側の面に配置されている、請求項１から８のいずれかに記載の生体圧迫装置。
【請求項１０】
接触する生体の圧力を検出する複数の圧力センサーと、前記センサーに対応して前記圧力センサーの近傍に配置され、生体の一部を圧迫する圧迫手段とを含む生体圧迫装置の制御方法において、
前記圧迫手段が対応する前記圧力センサーが検出する圧力の上昇／下降に合わせて生体の一部を圧迫する圧迫力を増減することを特徴とする、生体圧迫装置の制御方法。
【請求項１１】
接触する生体の圧力を検出する、列状に配置された複数の圧力センサー、該圧力センサーに対応して前記圧力センサーの列方向に直交する位置に配置され、生体の一部を圧迫する圧迫手段とを含む生体圧迫装置の制御方法において、
前記圧迫手段が対応する前記圧力センサーの検出する圧力の上昇／下降に合わせて生体の一部を圧迫する圧迫力を増減することを特徴とする、生体圧迫装置の制御方法。
【請求項１２】
対応する圧力センサーの検出する圧力の上昇時に前記圧迫手段の圧迫力が増加し、前記対応する圧力センサーの検出する圧力の下降時に前記圧迫手段の圧迫力が減少するように前記圧迫手段の圧迫力を制御する、請求項１０または１１に記載の方法。
【請求項１３】
複数の圧力センサーが、該圧力センサーが接触する生体の圧力を検出した後、前記複数の圧力センサーからの信号により検出する生体の圧力の最大値と最小値の差が他の圧力センサーよりも大きい圧力センサーを選択し、前記選択された圧力センサーからの信号により生体の圧力の上昇／下降を検知し、前記選択された圧力センサーの検出する圧力の上昇時に前記選択された圧力センサーに対応する圧迫手段の圧迫力が増加し、前記選択された圧力センサーの検出する圧力の下降時に前記選択された圧力センサーに対応する圧迫手段の圧迫力が減少するように前記対応する圧迫手段の圧迫力を制御する、請求項１０または１１に記載の方法。
【請求項１４】
前記各圧迫手段の圧迫力が１／ｆ雑音の振幅分布を加えた圧迫力となるように前記各圧迫手段の圧迫力を制御する、請求項１２または１３に記載の方法。
【請求項１５】
前記各圧迫手段の圧迫力が白色雑音の振幅分布をさらに加えた圧迫力となるように前記各圧迫手段の圧迫力を制御する、請求項１２または１３に記載の方法。
【発明の詳細な説明】
【技術分野】
【０００１】
本発明は、血圧の高い人の皮膚に圧力センサーを接触させ、皮膚から動脈の脈動を検知して動脈の位置を探索し、探索した動脈の近傍に設置した圧迫器により動脈を圧迫して刺激し、血圧を降下させる生体圧迫装置およびその制御方法に関する。
【背景技術】
【０００２】
高齢化が進み、生活習慣病といわれる各種疾患の治療法の開発が急務となっている。特に高血圧症の患者は多いが、現在は血圧を降下させる薬品の長期服用が一般的な治療法である。
【０００３】
非特許文献１に示す研究成果によると、頚動脈に血圧に同期した圧迫力による刺激を加えることにより、血圧を降下させることができることが実証されている。しかし、非特許文献１の原理を応用して血圧を下げる装置が実用に供された例は報告されていない。さらに、非特許文献１に示す研究用の装置の場合は、首の頚動脈を大型の圧迫器により圧迫しており、使用法を誤れば、呼吸の障害となり、生体に危険を及ぼす恐れがあった。
【０００４】
一方、非特許文献２によると、生体の神経細胞の信号に微弱な雑音状の信号を加えることにより、神経細胞の知覚感度が向上する実験結果が報告されている。
【０００５】
非特許文献１および非特許文献２に示されている原理を応用することにより、動脈に微弱な圧力の刺激を加えることにより、効果的に血圧を降下させ得ることが示唆されるが、実際の機器あるいは方法として提示された例はない。
【非特許文献１】Ｏｓａｍｕ  Ｔｏｃｈｉｋｕｂｏ，Ｍ．Ｄ，Ｓａｔｏｓｈｉ  Ｕｍｅｍｕｒａ，Ｍ．Ｄ，Ｋａｚｕｍａｓａ  Ｎｏｄａ，Ｍ．Ｄ，ａｎｄ  Ｙｏｓｈｉｈｉｋｏ  Ｋａｎｅｋｏ，Ｍ．Ｄ，  ：  Ｖａｒｉａｂｉｌｉｔｙ  ｏｆ  Ａｒｔｅｒｉａｌ  Ｂｌｏｏｄ  Ｐｒｅｓｓｕｒｅ  ａｎｄ  Ｃｌａｓｓｉｆｉｃａｔｉｏｎ  ｏｆ  Ｅｓｓｅｎｔｉａｌ  Ｈｙｐｅｒｔｅｎｓｉｏｎ  ｂｙ  Ｍｕｌｔｉｖａｒｉａｔｅ  Ｓｔａｔｉｓｔｉｃａｌ  Ａｎａｌｙｓｉｓ．  Ｊａｐａｎｅｓｅ  Ｃｉｒｃｕｌａｔｉｏｎ  Ｊｏｕｒｎａｌ  Ｖｏｌ．４５，Ｊｕｌｙ  １９８１  ｐ７８１−ｐ７９９．
【非特許文献２】山本義春：ノイズでヒトの機能を高める−ヒトの中の確率共振，  Ｏｃｔｏｂｅｒ  ３１，２００１．
【発明の開示】
【発明が解決しようとする課題】
【０００６】
本発明の目的は、上記の従来の技術の問題点に鑑み、生体への危害が及ぶ恐れがあった点を改良して、生体への負担が少なく、かつ効率よく、血圧を降下させる生体圧迫装置およびその制御方法を提供することである。
【課題を解決するための手段】
【０００７】
本発明の生体圧迫装置は、生体に接触させた圧力センサーにより生体の圧力変化、すなわち動脈の脈動を検知し、脈動から動脈の位置を探索し、発見した動脈の位置の近傍に配置された圧迫手段により、生体を例えば２０〜３０ｍｍＨｇの圧迫力で圧迫することにより、生体の動脈を圧迫し、刺激して血圧を降下させる。ここで、圧迫手段が生体に加える圧迫力は、センサーが検知する圧力が上昇した時に上昇し、センサーが検知する圧力が下降した時に下降するように制御する。
【０００８】
また、本発明の生体圧迫装置は、複数の圧力センサーにより、生体の圧力を検知し、検知した圧力の最大値と最小値の差が他のセンサーよりも大きい圧力センサーを選択し、選択された圧力センサーの近傍に配置された圧迫手段により、生体を圧迫することにより、生体への負担を最小限にして、効果的に血圧を降下させることができる。
【０００９】
また、複数の圧力センサーを列状に配置し、かつ複数の圧力センサーの列方向に直交する位置に圧迫手段を配置することにより、生体の首あるいは手首などに装着した場合、圧力センサーは動脈に直角方向に配置され動脈を効率よく探索し、圧迫手段は動脈に沿う方向に配置され動脈を効率よく圧迫して刺激し、効果的に血圧を降下させることができる。
【００１０】
また、圧迫手段により生体を圧迫する圧迫力は、生体の圧力が上昇した時に増加し、生体の圧力が下降した時に減少する力に、さらに１／ｆ雑音を加えることにより、快適に、さらに効率よく動脈を刺激して血圧を降下させることができる。
【００１１】
ここで、１／ｆ雑音とは振幅が周波数の逆数に比例して減少する振幅分布を有する雑音であり、生体の中を伝達する信号の時間軸上の揺らぎは１／ｆ雑音の揺らぎ特性を有し、１／ｆ雑音の揺らぎ特性は生体に快適な揺らぎであると言われている。
【００１２】
また、圧迫手段により生体を圧迫する圧迫力は、生体の圧力が上昇した時に増加し、生体の圧力が下降した時に減少する力に、さらに白色雑音を加えることにより、一層効率よく動脈を刺激して血圧を降下させることができる。
【発明の効果】
【００１３】
本発明によれば、血圧の高い人の血圧を簡便に降下させることができる。
【発明を実施するための最良の形態】
【００１４】
次に、本発明の実施の形態について図面を参照して説明する。
【００１５】
［第１の実施形態］
図１を参照すると、本発明の第１の実施形態の生体圧迫装置１０Ａは圧力センサー２０と圧迫器３０とポンプ４０と保持体６０により構成され、圧力センサー２０、圧迫器３０、ポンプ４０は保持体６０に搭載され、かつ圧迫器３０は圧力センサー２０の近傍に設置されている。
【００１６】
圧力センサー２０は例えばマイクロマシンによる１０ｍｍ×１０ｍｍ程度の大きさの素子により実現でき、また圧迫器３０は、例えば空気圧により圧迫力を加えるカフにより実現でき、さらにポンプ４０は、例えば空気ポンプにより実現でき、以下の説明においても同様である。
【００１７】
なお、図１および以下に示す図においては、電源回路など通常の技術により実現できる部分は図示していない。
【００１８】
圧力センサー２０の出力端子は信号伝達手段によりポンプ４０の入力端子に接続され、ポンプ４０の圧迫力供給部は圧迫力供給手段により圧迫器３０の圧迫力入力部に接続されている。圧力センサー２０は生体の圧力を検出し、検出された圧力の上昇／下降（以下、昇降）を示す信号を信号伝達手段を介してポンプ４０へ送信する機能を有する。ポンプ４０は圧力センサー２０から送信されて来た、検出された圧力の昇降を示す信号を受信し、受信した信号に従って、検出した圧力の昇降に合わせて増減する圧迫力を圧迫器３０へ供給する機能を有する。圧迫器３０はポンプ４０から圧迫力供給手段により圧迫力の供給を受け、生体の一部を圧迫する機能を有する。保持体６０は圧力センサー２０、圧迫器３０、ポンプ４０を搭載し、保持する機能を有する。
【００１９】
次に、本実施形態の生体圧迫装置１０Ａの動作について図１を参照して説明する。
【００２０】
生体圧迫装置１０Ａの圧力センサー２０は生体に接触して生体の圧力を検出し、検出した生体の圧力の昇降を示す信号をポンプ４０へ送信する。ポンプ４０は圧力センサー２０から送信されて来た、検出された圧力の昇降を示す信号を受信し、受信した信号に従って、圧力センサー２０が検出した圧力の昇降に合わせて増減する圧迫力を圧迫器３０へ供給する。圧迫器３０はポンプ４０から供給された圧迫力に従って、圧力センサー２０が検出した圧力の昇降に合わせて増減する圧迫力で生体の一部を圧迫する。
【００２１】
上記のように、本実施形態の生体圧迫装置１０Ａは、圧力センサー２０により、接触する生体の圧力を検出し、検出された、圧力の昇降に合わせて増減する圧迫力で、圧迫器３０により生体の一部を圧迫する。
【００２２】
以上説明したように、本実施形態によれば、生体の圧力の昇降に合わせて増減する圧迫力で生体の一部を圧迫することにより、血圧を降下させることができる。
【００２３】
［第２の実施形態］
図２を参照すると、本発明の第２の実施形態の生体圧迫装置１０Ｂは圧力センサー２０と圧迫力制御回路５０と圧迫器３０とポンプ４０と保持体６０により構成され、圧力センサー２０、圧迫力制御回路５０、圧迫器３０、ポンプ４０は保持体６０に搭載され、圧迫器３０は圧力センサー２０の近傍に設置されている。
【００２４】
図２において、圧力センサー２０の出力端子は信号伝達手段により圧迫力制御回路５０の入力端子に接続され、圧迫力制御回路５０の出力端子は信号伝達手段によりポンプ４０の入力端子に接続され、ポンプ４０の圧迫力供給部は圧迫力供給手段により圧迫器３０の圧迫力入力部に接続されている。
【００２５】
圧力センサー２０は生体の圧力を検出し、検出した、圧力の昇降を示す信号を信号伝達手段を介して圧迫力制御回路５０へ送信する機能を有する。圧迫力制御回路５０は圧力センサー２０から送信されて来た、生体の圧力の昇降を示す信号を受信し、受信した信号により生体の圧力の昇降を検知し、圧力センサー２０が検出した生体の圧力の上昇時に圧迫器３０の圧迫力が増加し、圧力センサー２０が検出した生体の圧力の下降時に圧迫器３０の圧迫力が減少するように、ポンプ４０を制御する制御信号をポンプ４０へ送信する機能を有する。ポンプ４０は圧迫力制御回路５０から送信されて来た制御信号を受信し、受信した制御信号に従って制御した圧迫力を圧迫器３０へ供給する機能を有する。圧迫器３０はポンプ４０から圧迫力供給手段により圧迫力の供給を受け、生体の一部を圧迫する機能を有する。保持体６０は圧力センサー２０、圧迫力制御回路５０、圧迫器３０、ポンプ４０を搭載し、保持する機能を有する。
【００２６】
次に、本実施形態の生体圧迫装置１０Ｂの動作について図２を参照して説明する。
【００２７】
圧力センサー２０は生体に接触して生体の圧力を検出し、検出した、生体の圧力の昇降を示す信号を圧迫力制御回路５０へ送信する。圧迫力制御回路５０は圧力センサー２０から送信されて来た、生体の圧力の昇降を示す信号を受信し、受信した信号により生体の圧力の昇降を検知し、圧力センサー２０が検出した、生体の圧力の上昇時に圧迫器３０の圧迫力が増加し、圧力センサー２０が検出した、生体の圧力の下降時に圧迫器３０の圧迫力が減少するように、ポンプ４０を制御する制御信号をポンプ４０へ送信する。ポンプ４０は圧迫力制御回路５０から送信されて来た制御信号を受信し、受信した制御信号に従って制御した圧迫力を圧迫器３０へ供給する。圧迫器３０はポンプ４０から供給される圧迫力に従って、圧力センサー２０が検出した、生体の圧力の上昇時に圧迫器３０の圧迫力が増加し、圧力センサー２０が検出した、生体の圧力の下降時に圧迫器３０の圧迫力が減少する圧迫力で生体の一部を圧迫する。
【００２８】
上記のように、本実施形態の生体圧迫装置１０Ｂは圧力センサー２０により、接触する生体の圧力を検出し、検出された、生体の圧力の上昇時に圧迫力が増加し、検出された、生体の圧力の下降時に圧迫力が減少するように制御された圧迫力で圧迫器３０により生体の一部を圧迫する。
【００２９】
以上説明したように、本実施形態によれば、生体の圧力の上昇時に圧迫力が増加し、検出する生体の圧力の下降時に圧迫力が減少するような圧迫力で生体の一部を圧迫することにより、簡易に血圧を降下させることができる。
【００３０】
［第３の実施形態］
図３を参照すると、本実施形態の生体圧迫装置１０Ｃは複数の圧力センサー２０1〜２０nと複数の圧迫器３０1〜３０nとポンプ４１と保持体６０により構成され、複数の圧迫器３０1〜３０nの各々は対応する圧力センサー２０1〜２０nの近傍に設置されている。
【００３１】
図３においては、複数の圧力センサー２０1〜２０nの各々に対応して１つの圧迫器３０1〜３０nが配置されている例が示されているが、圧力センサーの数と圧迫器の数は各種の組み合わせが可能である。
【００３２】
複数の圧力センサー２０1〜２０nの各々の出力端子は信号伝達手段によりポンプ４１の対応する入力端子に接続され、ポンプ４１の複数の圧迫力供給部は圧迫力供給手段により対応する圧迫器３０1〜３０nの各々の圧迫力入力部に接続されている。
【００３３】
複数の圧力センサー２０1〜２０nは生体の圧力を検出し、検出した、圧力の昇降を示す信号を、信号伝達手段を介してポンプ４１へ送信する機能を有する。ポンプ４１は複数の入力端子を備え、複数の圧力センサー２０1〜２０nから送信されて来た、検出された生体の圧力の昇降を示す信号を、複数の圧力センサー２０1〜２０nの各々に対応する入力端子を介して受信し、受信した信号に従って、複数の圧力センサー２０1〜２０nが検出した、生体の圧力の昇降に合わせて増減する圧迫力を、複数の圧迫力供給部から複数の圧力センサー２０1〜２０nの各々に対応する圧迫器３０1〜３０nに供給する機能を有する。複数の圧迫器３０1〜３０nはポンプ４１から圧迫力供給手段により圧迫力の供給を受け、生体の一部を圧迫する機能を有する。
【００３４】
次に、本実施形態の生体圧迫装置１０Ｃの動作について図３を参照して説明する。
【００３５】
複数の圧力センサー２０1〜２０nは生体に接触して生体の圧力を検出し、検出した、生体の圧力の昇降を示す信号をポンプ４１へ送信する。ポンプ４１は複数の圧力センサー２０1〜２０nから送信されて来た、検出された生体の圧力の昇降を示す信号を、複数の圧力センサー２０1〜２０nの各々に対応する入力端子を介して受信し、受信した信号に従って、複数の圧力センサー２０1〜２０nが検出する生体の圧力の昇降に合わせて増減する圧迫力を、複数の圧迫力供給部から複数の圧力センサー２０1〜２０nの各々に対応する圧迫器３０1〜３０nに供給する。複数の圧迫器３０1〜３０nの各々はポンプ４１から供給される圧迫力に従って、対応する圧力センサー２０1〜２０nが検出する圧力の昇降に合わせて増減する圧迫力で生体の一部を圧迫する。
【００３６】
上記のように、本実施形態の生体圧迫装置１０Ｃは複数の圧力センサー２０1〜２０nにより、接触する生体の圧力を検出し、検出された、圧力の昇降に合わせて増減する圧迫力で、複数の圧力センサー２０1〜２０nの各々の近傍に配置されている対応する圧迫器３０1〜３０nにより生体の一部を圧迫する。
【００３７】
以上説明したように、本実施形態によれば、複数の圧力センサーにより検出した、生体の圧力の昇降に合わせて増減する圧迫力で、各々の圧力センサーに対応して圧力センサーの近傍に配置されている圧迫器により生体の一部を圧迫することにより、血圧を効果的に降下させることができる。
【００３８】
［第４の実施形態］
本実施形態の生体圧迫装置の構成は図３に示した第３の実施形態の生体圧迫装置１０Ｃの構成の例と同様の構成であるが、本実施形態の生体圧迫装置の場合は、複数の圧力センサー２０1〜２０nは列状に配置され、かつ各圧迫器３０1〜３０nは対応する圧力センサー２０1〜２０nに対して圧力センサー２０1〜２０nの列方向に直角な位置に配置されている。
【００３９】
［第５の実施形態］
図４を参照すると、本実施形態の生体圧迫装置１０Ｄは複数の圧力センサー２０1〜２０n（指定しない場合、圧力センサー２０とする）と圧迫力制御回路５１と複数の圧迫器３０1〜３０n（指定しない場合、圧迫器３０とする）とポンプ４１と保持体６０により構成されている。複数の圧迫器３０1〜３０nの各々は対応する圧力センサー２０1〜２０nの近傍に設置される場合と、第４の実施形態のように、圧力センサー２０1〜２０nの列方向に直角な位置に配置される場合がある。
【００４０】
図４においては、複数の圧力センサー２０1〜２０nの各々に対応して１つの圧迫器３０1〜３０nが配置されている例が示されているが、圧力センサー２０の数と圧迫器３０の数は各種の組み合わせが可能である。
【００４１】
複数の圧力センサー２０1〜２０nの各々の出力端子は信号伝達手段により圧迫力制御回路５１の対応する入力端子へ接続され、圧迫力制御回路５１の複数の出力端子はポンプ４１の対応する入力端子へ接続され、ポンプ４１の複数の圧迫力供給部は圧迫力供給手段により対応する圧迫器３０1〜３０nの圧迫力入力部へ接続されている。
【００４２】
複数の圧力センサー２０1〜２０nは生体の圧力を検出し、検出した、圧力の昇降を示す信号を信号伝達手段を介して圧迫力制御回路５１へ送信する機能を有する。圧迫力制御回路５１は複数の入力端子を備え、複数の圧力センサー２０1〜２０nから送信されて来た、検出された圧力の昇降を示す信号を、複数の圧力センサー２０1〜２０nの各々に対応する入力端子を介して受信し、受信した信号により生体の圧力の昇降を検知し、圧力センサー２０1〜２０nが検出した、生体の圧力の上昇時に対応する圧迫器３０の圧迫力が増加し、圧力センサー２０1〜２０nが検出した、生体の圧力の下降時に対応する圧迫器３０の圧迫力が減少するように、ポンプ４１を制御する制御信号をポンプ４１へ送信する機能を有する。圧迫力制御回路５１は外部からの操作により、任意の圧力センサー２０と対応する圧迫器３０の組を選定して、選定された圧力センサー２０と対応する圧迫器３０の組のみを動作させることもできる機能も有する。ポンプ４１は圧迫力制御回路５１から送信されて来た信号を受信し、受信した信号に従って、圧迫力供給部から複数の圧迫器３０1〜３０nの各々へ対応する圧迫力を供給する機能を有する。複数の圧迫器３０1〜３０nの各々はポンプ４１から圧迫力供給手段により圧迫力の供給を受け、生体の一部を圧迫する機能を有する。
【００４３】
次に、本実施形態の生体圧迫装置１０Ｄの動作について図４を参照して説明する。
【００４４】
複数の圧力センサー２０1〜２０nの各々は生体に接触して生体の圧力を検出し、検出した、生体の圧力の昇降を示す信号を圧迫力制御回路５１へ送信する。圧迫力制御回路５１は複数の圧力センサー２０1〜２０nから送信されて来た、検出された圧力の昇降を示す信号を、複数の圧力センサー２０1〜２０nの各々に対応する入力端子を介して受信し、受信した信号により生体の圧力の昇降を検知し、圧力センサー２０1〜２０nが検出した、生体の圧力の上昇時に対応する圧迫器３０の圧迫力が増加し、圧力センサー２０1〜２０nが検出した、生体の圧力の下降時に対応する圧迫器３０の圧迫力が減少するように、ポンプ４１を制御する制御信号をポンプ４１へ送信する。さらに、圧迫力制御回路５１は外部からの操作により、特定の圧力センサー２０と対応する圧迫器３０の組を選定し、選定された圧力センサー２０と対応する圧迫器３０の組のみを動作させるような指示を受信した場合、指定された圧力センサー２０が生体の圧力を検出し、検出した、生体の圧力の上昇時に対応する圧迫器３０の圧迫力が増加し、生体の圧力の下降時に対応する圧迫器３０の圧迫力が減少するように、ポンプ４１を制御する制御信号をポンプ４１へ送信する。ポンプ４１は圧迫力制御回路５１から送信されて来た制御信号に従って、複数の圧迫器３０1〜３０nの各々に対応する圧迫力を対応する圧迫器３０1〜３０nへ供給する。各々の圧迫器３０1〜３０nは対応する圧力センサー２０1〜２０nが検出した、生体の圧力の上昇時に圧迫力が増加し、対応する圧力センサー２０が検出した、生体の圧力の下降時に圧迫力が減少するような圧迫力で生体の一部を圧迫する。
【００４５】
上記のように、本実施形態の生体圧迫装置１０Ｄは、複数の圧力センサー２０1〜２０nにより、接触する生体の圧力を検出し、検出した、生体の圧力の上昇時に対応する圧迫器３０の圧迫力が増加し、検出した、生体の圧力の下降時に対応する圧迫器３０の圧迫力が減少するように制御される複数の圧迫器３０1〜３０nにより生体の一部を圧迫する。
【００４６】
また、外部からの操作により、特定の圧力センサー２０と対応する圧迫器３０の組を選定し、選定された圧力センサー２０と対応する圧迫器３０の組のみを動作させるように指示された場合、選定された圧力センサー２０により、接触する生体の圧力を検出し、検出した、生体の圧力の上昇時に対応する圧迫器３０の圧迫力が増加し、検出した、生体の圧力の下降時に対応する圧迫器３０の圧迫力が減少するように制御される複数の圧迫器３０1〜３０nにより生体の一部を圧迫する。
【００４７】
以上説明したように、本実施形態によれば、生体の圧力の上昇時に圧迫力が増加し、生体の圧力の下降時に圧迫力が減少するような圧迫力で生体の一部を圧迫し、あるいは指定した位置のみを圧迫することにより、血圧を効率的に降下させることができる。
【００４８】
［第６の実施形態］
図５を参照すると、本実施形態の生体圧迫装置１０Ｅは複数の圧力センサー２０1〜２０n（指定しない場合、圧力センサー２０とする）と圧迫力制御回路５２と複数の圧迫器３０1〜３０n（指定しない場合、圧迫器３０とする）とポンプ４１と保持体６０により構成されている。
本実施形態の生体圧迫装置１０Ｅでは、圧迫力制御回路５２は複数の圧力センサー２０1〜２０nの中で、検出した、生体の圧力の最大値と最小値の差が他の圧力センサー２０よりも大きい圧力センサー２０を選択し、選択された圧力センサー２０に対応する圧迫器３０により、選択された圧力センサー２０が検出した、圧力の上昇時に増加し、選択された圧力センサー２０の検出した、圧力の下降時に減少する圧迫力で生体の一部を圧迫する。その他の構成は第５の実施形態の生体圧迫装置１０Ｄと同じである。
【００４９】
以上説明したように、本実施形態によれば、複数の圧力センサーが検出する生体の圧力の最大値と最小値の差が他の圧力センサーよりも大きい圧力センサーに対応する圧迫器により生体の一部を圧迫し、生体への負担の少ない状態で、血圧を降下させることができる。
【００５０】
［第７の実施形態］
本実施形態の生体圧迫装置は、前述の第５または第６の実施形態の生体圧迫装置１０Ｄ、１０Ｅにおいて、圧迫器３０が生体を圧迫する時の圧迫力に、さらに１／ｆ雑音の振幅分布の圧迫力を加えるように、圧迫力制御回路５１または５２がポンプ４１を制御するものであり、上記以外の構成および動作は第５または第６の実施形態の生体圧迫装置１０Ｄ、１０Ｅの構成および動作と同様である。
【００５１】
以上説明したように、本実施形態によれば、前述の第５または第６の実施形態の生体圧迫装置１０Ｄ、１０Ｅにおける圧迫力に、さらに１／ｆ雑音の振幅分布の圧迫力を加える圧迫力により生体の一部を圧迫することにより、生体への負担の少ない状態で、効率よく、かつ快適に、血圧を降下させることができる。
【００５２】
［第８の実施形態］
本実施形態の生体圧迫装置は、前述の第５または第６の実施形態の生体圧迫装置１０Ｄ、１０Ｅにおいて、圧迫器３０が生体を圧迫する時の圧迫力に、さらに白色雑音の振幅分布の圧迫力を加えるように、圧迫力制御回路５１または５２がポンプ４１を制御するものであり、上記以外の構成および動作は第５または第６の実施形態の生体圧迫装置１０Ｄ、１０Ｅの動作および機能と同様である。
【００５３】
以上説明したように、本実施形態によれば、前述の第５または第６の実施形態の生体圧迫装置１０Ｄ、１０Ｅにおける圧迫力に、さらに白色雑音の振幅分布の圧迫力を加える圧迫力により生体の一部を圧迫することにより、生体への負担の少ない状態で、より効率よく、かつ快適に、血圧を降下させることができる。
【００５４】
［第９の実施形態］
図６（Ａ）は第９の実施形態の生体圧迫装置１０Ｆの構成の一例の外観図であり、図６（Ｂ）は図６（Ａ）に示す第９の実施形態の生体圧迫装置１０Ｆを平面状に展開した状態を示す図である。なお、図６（Ｂ）は第９の実施形態の生体圧迫装置１０Ｆが図６（Ｂ）に示す状態で使用されることを示すものではない。
【００５５】
本実施形態の生体圧迫装置１０Ｆは、第１から第８の実施形態の各々の生体圧迫装置に対応して、圧力センサー２０、圧迫器３０、ポンプ４１、保持体７０により構成され、さらに圧迫力制御回路５１等を備える場合もある。
【００５６】
図６（Ａ）に示す本実施形態の生体圧迫装置１０Ｆでは、図６（Ｂ）に示すように複数の圧力センサー２０1〜２０nが保持体７０の長手方向に列状に配置され、複数の圧力センサー２０1〜２０nの列方向に直角な位置に各圧力センサー２０1〜２０nに対応する圧迫器３０1〜３０nが配置されている。ここで、図面の煩雑さを避けるためにポンプ４１あるいは圧迫力制御回路５１等、信号伝達手段、および圧迫力供給手段は表示していない。
【００５７】
図６（Ａ）に示すように、保持体７０は帯状で、Ｃ字型に曲げられており、複数の圧力センサー２０1〜２０nおよび複数の圧迫器３０1〜３０nは保持体７０の内側の面に配置されており、表示していないポンプ４１あるいは圧迫力制御回路は、保持体７０の外側に配置することができる。
【００５８】
上記のように、本実施形態の生体圧迫装置１０ＦはＣ字型の保持体７０の内側に少なくとも圧力センサー２０1〜２０nおよび圧迫器３０1〜３０nを配置して、各々対応する前述の第１から第８の実施形態の生体圧迫装置と同様の動作で、生体の一部を圧迫する。
【００５９】
以上説明したように、本実施形態によれば、Ｃ字型の保持体の内側に少なくとも圧力センサーおよび圧迫器を配置することにより、生体圧迫装置を生体の首あるいは手首などに容易に装着することができる。
【産業上の利用可能性】
【００６０】
本発明は生体の一部を圧迫刺激することにより、生体の刺激感受性を高め、生体の活動を活発化する効果を応用するものであり、血行の促進などの効果の可能性もあり、美容分野への利用も期待できる。
【図面の簡単な説明】
【００６１】
【図１】本発明の第１の実施形態の生体圧迫装置の構成を示す図である。
【図２】本発明の第２の実施形態の生体圧迫装置の構成を示す図である。
【図３】本発明の第３の実施形態の生体圧迫装置の構成を示す図である。
【図４】本発明の第５の実施形態の生体圧迫装置の構成を示す図である。
【図５】本発明の第６の実施形態の生成圧迫装置の構成を示す図である。
【図６】本発明の第９の実施形態の生体圧迫装置の構成を示す図である。
【符号の説明】
【００６２】
１０Ａ〜１０Ｆ    生体圧迫装置
２０、２０1〜２０n    圧力センサー
３０、３０1〜３０n    圧迫器
４０、４１    ポンプ
５０、５１、５２    圧迫力制御回路
６０、７０    保持体
【図１】
2006025910.tif 000003
【図２】
2006025910.tif 000004
【図３】
2006025910.tif 000005
【図４】
2006025910.tif 000006
【図５】
2006025910.tif 000007
【図６】
2006025910.tif 000008